(57)【要約】【課題】筐体内のスイッチ部に不用意に人の手指が接触することを防止して、静電気を原因とした回路破損を防止できる通信制御ユニットを提供する。【解決手段】電気錠用ユニット（通信制御ユニット）４は、基板４ｃ上に設けられておりユーザ操作により所定の設定値を設定するためのスイッチ部４ｄと、筐体４１に取り付けられて少なくともスイッチ部４ｄの前面に対応する位置に開口部４３が形成されたユニットカバー４ａと、ユニットカバー４ａの開口部４３に対して装着されてスライド移動によりスイッチ部４ｄを操作できる開状態又は操作できない閉状態にするカバー部４ｂとを備える。この構成により、カバー部４ｂに用いた固着具の紛失を防止できると共に、不用意にスイッチ部４ｄに人の手指が接触し静電気が印加され、この静電気を原因として回路破損が生じることを防止できる。【選択図】図４
2012112164.tif 000002
【特許請求の範囲】
【請求項１】
筐体内に基板を収容し、他の制御機器と通信接続する通信制御ユニットにおいて、
前記基板上に設けられており、ユーザ操作により所定の設定値を設定するためのスイッチ部と、
前記筐体に取り付けられ、少なくとも前記スイッチ部の前面に対応する位置に開口部が形成されたユニットカバーと、
前記ユニットカバーの開口部に対して装着され、スライド移動により前記スイッチ部を操作できる開状態又は操作できない閉状態にするカバー部と、を備えたことを特徴とする通信制御ユニット。
【請求項２】
前記カバー部は、固着具を挿通するため前記カバー部のスライド方向を長手方向とした長方形状又は略楕円形状の挿通孔を有し、この挿通孔に挿通された固着具を緩めることでスライド移動を可能とすることを特徴とする請求項１記載の通信制御ユニット。
【請求項３】
前記カバー部は、前記スイッチ部の設定値を視認するための開口部を有することを特徴とする請求項１又は２記載の通信制御ユニット。
【請求項４】
前記所定の設定値は、前記通信制御ユニットの通信用アドレスであることを特徴とする請求項１乃至請求項３のいずれか一項に記載の通信制御ユニット。
【請求項５】
前記制御機器がマグネット錠であり、このマグネット錠の開閉状態を制御することを特徴とする請求項１乃至請求項４のいずれか一項に記載の通信制御ユニット。
【発明の詳細な説明】
【技術分野】
【０００１】
本発明は、所定のセキュリティ領域への入退室を管理する入退室管理システムなどにおいて用いる通信制御ユニットに関する。
【背景技術】
【０００２】
従来より、ユーザを特定する認証用ＩＤに基づいた認証処理結果に応じてセキュリティ領域の入退室を管理する入退室管理システムが知られている。
【０００３】
このような入退室管理システムは、例えばＩＤカードから個別の識別番号を非接触で読み取るカードリーダや、カードリーダに接続され、ユーザＩＤに基づく判定結果により、電気的に接続されたマグネット錠の施錠又は解錠を行うコントロールユニットを備える。また、入退室情報を一元管理するためコントロールユニットと通信接続された管理サーバや管理用ＰＣが備えられている。
【０００４】
この入退室管理システムに用いられるコントロールユニット６０は、例えば、図６に示すように、筐体６１内に通信用アドレス設定などのスイッチ部６２を有した基板６３が収容され、その前面にユニットカバー６４が取り付けられている。
【０００５】
そして、指紋読取装置やＩＣカードリーダ、電気錠に通信接続された入退室制御装置を備え、ユーザの認証処理を行って所定のセキュリティ領域に対する入退室管理を行う入退室管理システムが開示されている（例えば、特許文献１参照）。
【先行技術文献】
【特許文献】
【０００６】
【特許文献１】特開２０１０−４９４９０号公報
【発明の概要】
【発明が解決しようとする課題】
【０００７】
しかしながら、上記従来の入退室管理システムに用いるコントロールユニット６０では、図６に示すように、前面側の扉を開いた際、基板６３上に配置されたスイッチ部６２が露出するので、不用意に人の手指がスイッチ部６２に接触し易い構成となっている。このため、不用意にスイッチ部６２に静電気が印加され易く、この静電気が原因となって基板６３などの回路を破損することがあった。
【０００８】
本発明は、上記問題を解消するものであり、不用意に筐体内の通信用アドレス設定などのために設けられたスイッチ部に人の手指が接触することを防止し、静電気を原因とした基板の回路破損を防止した通信制御ユニットを提供することを目的とする。
【課題を解決するための手段】
【０００９】
上記目的を達成するために本発明は、筐体内に基板を収容し、他の制御機器と通信接続する通信制御ユニットにおいて、前記基板上に設けられており、ユーザ操作により所定の設定値を設定するためのスイッチ部と、前記筐体に取り付けられ、少なくとも前記スイッチ部の前面に対応する位置に開口部が形成されたユニットカバーと、前記ユニットカバーの開口部に対して装着され、スライド移動により前記スイッチ部を操作できる開状態又は操作できない閉状態にするカバー部と、を備えたことを特徴とする。
【００１０】
この通信制御ユニットにおいて、固着具を挿通するため前記カバー部のスライド方向を長手方向とした長方形状又は略楕円形状の挿通孔を有し、この挿通孔に挿通された固着具を緩めることでスライド移動を可能とすることが好ましい。
【００１１】
この通信制御ユニットにおいて、前記カバー部は、前記スイッチ部の設定値を視認するための開口部を有することが好ましい。
【００１２】
この通信制御ユニットにおいて、前記所定の設定値は、前記通信制御ユニットの通信用アドレスであることが好ましい。
【００１３】
この通信制御ユニットにおいて、前記制御機器がマグネット錠であり、このマグネット錠の開閉状態を制御することが好ましい。
【発明の効果】
【００１４】
本発明に係る通信制御ユニットにおいて、ユニットカバーの開口部に装着されたカバー部は、スライド移動でスイッチ部を操作できる開状態と操作できない閉状態とになる。このため、開状態としておくことで不用意に人の手指が通信制御ユニットの筐体内に配置されたスイッチ部に接触することを防止することができ、静電気を原因とした基板の回路破損を防止できる。
【図面の簡単な説明】
【００１５】
【図１】本発明の実施の形態に係る入退室管理システムの構成図を示す。
【図２】（ａ）同上実施の形態に係る電気錠用ユニットの正面図、（ｂ）電気錠用ユニットの斜視図を示す。
【図３】電気錠用ユニットの筐体内部に収容されるユニットカバーの正面図を示す。
【図４】電気錠用ユニットの扉を開けた際の筐体内部の一部拡大図を示す。
【図５】（ａ）電気錠用ユニットのユニットカバーに取り付けられるカバー部の正面図、（ｂ）同カバー部の右側面図、（ｃ）同カバー部の断面図を示す。
【図６】従来の入退室管理システムに用いるコントロールユニットの扉を開けた際の筐体内部の一部拡大図を示す。
【発明を実施するための形態】
【００１６】
本発明の実施の形態に係る通信制御ユニットについて図１乃至図５を参照して説明する。
【００１７】
（実施の形態）
本実施の形態に係る入退室管理システム１は、図１に示すように、管理サーバ２、管理用ＰＣ３、電気錠用ユニット（通信制御ユニット）４、マグネット錠（制御機器）５、カードリーダ６、熱線センサ７及びアラーム８を備えている。この入退室管理システム１では、ＩＣカード６ａから取得するユーザＩＤを用いてユーザを一意に特定し、認証処理結果に応じてマグネット錠５の施錠又は解錠の制御を行い、セキュリティ領域への入退室を管理する。
【００１８】
管理サーバ２は、管理用ＰＣ３及び電気錠用ユニット４と専用ＬＡＮ９を介して通信接続され、入退室したユーザのユーザＩＤや入退室履歴に関するデータを一元管理する。また、管理サーバ２は、例えば、ユーザＩＤの新規登録や変更を行うと、各拠点の管理サーバ２に自動配信して情報共有化を図ることができる。
【００１９】
管理用ＰＣ３は、管理サーバ２及び電気錠用ユニット４と専用ＬＡＮ９を介して通信接続され、入退室の履歴管理、マグネット錠５の開閉やユーザＩＤの新規登録などを、専用メニュー画面や履歴画面を通して行うための操作端末である。この管理用ＰＣ３は、既存のパソコンを活用して実現でき、ドアなどに配置される監視用カメラからのリアルタイム映像を連動表示することもできる。
【００２０】
電気錠用ユニット４は、室内の壁面などにネジなどの固着具を用いて取り付けられる箱形状の筐体を備え、マグネット錠５、カードリーダ６、熱線センサ７及びアラーム８と接続される。電気錠用ユニット４は、入退室管理のため、マグネット錠５の施錠又は解錠の制御、カードリーダ６との通信やアラーム８の発動制御を行う。また、電気錠用ユニット４は、カードリーダ６からユーザＩＤ（識別番号）の判定結果を受信すると、この判定結果に基づいてマグネット錠５の施錠又は解錠を行う。
【００２１】
マグネット錠５は、電気的開閉が可能な扉錠であり、ユーザＩＤに基づいて許可されたユーザのみが入室できるように電気錠用ユニット４の制御（通電時解錠、又は通電時施錠など）に基づいて施錠又は解錠される。このマグネット錠５は、鍵による機械的開閉も可能な場合もある。
【００２２】
カードリーダ６は、入口扉付近及び出口扉付近の少なくとも一方に設置され、ＩＣカード６ａとの間で無線通信を行ってユーザＩＤを読み取り、ユーザＩＤが内部メモリに保持されたユーザＩＤと一致するか否かを判定する。カードリーダ６は、この判定結果を通信線を介して電気錠用ユニット４に送信する。なお、カードリーダ６とＩＣカード６ａとの間の無線通信は所定周波数領域で行われ、例えば、ＩＣカード６ａがカードリーダ６から約１．５ｍ以内に入ると、カードリーダ６からのＬＦ起動信号をＩＣカード６ａのＬＦ帯送受信部で受信し起動する。起動したＩＣカード６ａは、メモリに記憶しているユーザＩＤを送信部からカードリーダ６に送信する。
【００２３】
カードリーダ６におけるユーザＩＤの判定は、ＩＣカード６ａとの非接触通信に限定されるものではなく、ＩＣカード６ａとの非接触通信及び暗証番号入力の場合などがあり、また、ＩＤ認証に用いるのはＩＣカード６ａに限定されるものではなく携帯電話となる場合もある。また、カードリーダ６は、ＩＣカード６ａのユーザＩＤの登録機能やユーザデータ変更機能をも有する。
【００２４】
熱線センサ７は、電気錠用ユニット４と接続され、赤外線を用いて温度で人を感知するセンサであり、本実施の形態では防犯用センサとして用いられる。アラーム８は、電気錠用ユニット４と接続され、熱線センサ７で不審者が検出され、電気錠用ユニット４から検知入力された場合に警告音の出力や警報ランプの点滅を行う。
【００２５】
以下、電気錠用ユニット４の筐体４１内の構造に関して説明する。
電気錠用ユニット４は、図２に示すように、前面が開口して中空を有する略箱体状の筐体４１と、筐体４１の前面側を塞ぎ、例えば矢印Ｗ１で示す方向に開く扉４２とを備え、任意の壁面にネジなどの固着具で取り付けられる。筐体４１内には、基板やユニットカバー、電源供給用の電源線や、通信接続のための信号線などが備えられる。
【００２６】
筐体４１内には、図３に示すようなユニットカバー４ａが配置される。このユニットカバー４ａは、筐体４１に収容される基板の保護のため当該基板の前面側に取り付けられる。ユニットカバー４ａは、開口部４３を有し、この開口部４３のスイッチ部に対する位置にカバー部４ｂが装着される。図３においては、カバー部４ｂは、ユーザ操作によりスイッチ操作が可能な開状態を示しており、矢印Ｗ２の方向にカバー部４ｂをスライド移動させることでスイッチ操作ができない閉状態とすることができる。なお、ユニットカバー４ａの大きさは、例えば縦幅３５７ｍｍ、横幅３４０ｍｍであり、筐体４１内の基板や配線などの形状に合わせて側面視で凹凸形状を有している。
【００２７】
筐体４１内には、図４に示すように、通信接続されるマグネット錠５やカードリーダ６の制御用ＣＰＵなどを有する基板４ｃが収容されている。基板４ｃ上には、電気錠用ユニット４の通信用アドレスなどを設定するためのスイッチ部４ｄが配置され、このスイッチ部４ｄの配列を変更することで、例えば電気錠用ユニット４の通信用アドレスを８ビットの２５６アドレスから任意に選択設定できる。
【００２８】
図４において、ユニットカバー４ａは筐体４１にネジを用いて固着され、スイッチ部４ｄの前面側には開口部４３が形成されている。この開口部４３のスイッチ部４ｄに対する位置には、ネジなどの固着具を用いてカバー部４ｂが取り付けられている。なお、図４において、カバー部４ｂは、ユーザ操作によりスイッチ操作ができない閉状態であり、固着具を少し緩めて矢印Ｗ３の方向にカバー部４ｂをスライド移動させることでスイッチ操作ができる開状態とすることができる。この構成により、カバー部４ｂに用いた固着具の紛失を防止できると共に、不用意にスイッチ部４ｄに人の手指が接触することを防止することができ、静電気を原因とした電気回路の破損を防止できる。
【００２９】
カバー部４ｂは、図５に示すように、カバー部４ｂのスライド方向を長手方向とした長方形状、又は略楕円形状の挿通孔５１を２箇所に有する。また、カバー部４ｂは、基板４ｃ上に配置されるスイッチ部４ｄを視認するための開口部５２（本図では２箇所）を有する。この開口部５２により、ユーザは、カバー部４ｂがユニットカバー４ａに装着された状態でもスイッチ部４ｄの設定値を確認することができる。なお、カバー部４ｂの大きさは、例えば正面視で縦幅２７．５ｍｍ、横幅３６ｍｍである。
【００３０】
以上の構成により、本実施の形態に係る電気錠用ユニット（通信制御ユニット）４では、カバー部４ｂをユーザによるスイッチ操作ができない閉状態とすることで、不用意にスイッチ部４ｄに人の手指が接触して静電気が印加し、この静電気を原因として電子回路が破損することを防止できる。また、通信用アドレス設定時などにおいては、ネジを緩めてカバー部４ｂをスライドさせて開状態とすることで静電気対策を講じた上でスイッチ部４ｄへの設定操作ができる。さらに、カバー部４ｂに用いた固着具の紛失を防止でき、また、カバー部４ｂを落下しないように固着具で固定できる。
【００３１】
なお、本発明は、上記実施の形態の構成に限られず、発明の趣旨を変更しない範囲で種々の変形が可能である。例えば、電気錠用ユニット４の制御機器はマグネット錠５に限定されるものではない。また、電子錠用ユニット４やカバー部４ｂの形状は異なる形状でもよい。
【符号の説明】
【００３２】
１  入退室管理システム
２  管理サーバ
３  管理用ＰＣ
４  電気錠用ユニット（通信制御ユニット）
４ａ  ユニットカバー
４ｂ  カバー部
４ｃ  基板
４ｄ  スイッチ部
５  マグネット錠
６  カードリーダ
６ａ  ＩＣカード
７  熱線センサ
８  アラーム
９  専用ＬＡＮ
４１  筐体
４２  扉
４３  開口部
５１  挿通孔
５２  開口部
【図２】
2012112164.tif 000003
【図３】
2012112164.tif 000004
【図４】
2012112164.tif 000005
【図５】
2012112164.tif 000006
【図６】
2012112164.tif 000007
【図１】
2012112164.tif 000008